(57)【特許請求の範囲】
【請求項１】
かごの行先階を登録するための非接触操作を検出可能な非接触操作検出部を有するかご内操作盤と、
前記非接触操作を受付けない期間を設定する期間設定部と、を備え、
前記かご内操作盤は車椅子用かご内操作盤であり、
前記期間設定部は、
乗場に設置された乗場操作盤のうち、車椅子用の乗場操作盤における乗場呼び操作を受け付けたか否かに応じて、該乗場呼び操作に対応する階床に到着したかごの前記車椅子用の操作盤において、前記非接触操作検出部によって検出された前記非接触操作を受け付けない期間を変更する、
ことを特徴とするエレベータ。
【請求項２】
かごの行先階を登録するための非接触操作を検出可能な非接触操作検出部を有するかご内操作盤と、
前記非接触操作を受付けない期間を設定する期間設定部と、を備え、
前記期間設定部は、前記かごが走行中の期間、または前記かごの扉が閉状態である期間を、前記非接触操作を受付けない期間として設定する、
ことを特徴とするエレベータ。
【請求項３】
かごの行先階を登録するための非接触操作を検出可能な非接触操作検出部を有するかご内操作盤と、
前記非接触操作を受付けない期間を設定する期間設定部と、を備え、
前記期間設定部は、前記非接触操作検出部が前記かごの扉が閉状態のときに前記非接触操作を検出しており、かつ、前記扉が閉状態から開状態になっても前記非接触操作の検出状態が継続している場合、前記非接触操作検出部によって検出された前記非接触操作を受付けない期間を変更する、
ことを特徴とするエレベータ。
【請求項４】
かごの行先階を登録するための非接触操作を検出可能な非接触操作検出部を有するかご内操作盤と、
前記非接触操作を受付けない期間を設定する期間設定部と、を備え、
前記期間設定部は、前記非接触操作検出部が前記かごが走行中に前記非接触操作を検出しており、かつ、前記かごの停止時においても前記非接触操作の検出状態が継続している場合、前記非接触操作検出部によって該非接触操作を受け付けない期間を変更する、
ことを特徴とするエレベータ。
【請求項５】
かごの行先階を登録するための非接触操作を検出可能な非接触操作検出部を有するかご内操作盤と、
前記非接触操作を受付けない期間を設定する期間設定部と、を備え、
前記期間設定部は、
乗場に設置された乗場操作盤の乗場非接触操作検出部における呼び操作を受け付けたか否かに応じて、該乗場呼び操作に対応する階床に到着したかごの前記かご内操作盤において、前記非接触操作検出部によって検出された前記非接触操作を受付けない期間を変更する、
ことを特徴とするエレベータ。
【請求項６】
かごの行先階を登録するための非接触操作を検出可能な非接触操作検出部を有するかご内操作盤と、
前記非接触操作を受付けない期間を設定する期間設定部と、を備え、
前記かご内操作盤は、前記かごの行先階を登録するための接触操作を検出可能な接触操作検出部をさらに備え、
前記期間設定部は、
前記かごが走行中であり、かつ、前記接触操作検出部によって前記接触操作が検出された場合、前記非接触操作検出部によって検出された前記非接触操作を受け付けない期間を変更する、
ことを特徴とするエレベータ。
【請求項７】
かごの行先階を登録するための非接触操作を検出可能な非接触操作検出部を有するかご内操作盤と、
前記非接触操作を受付けない期間を設定する期間設定部と、を備え、
前記期間設定部は、
前記かごの扉が閉状態となった時点から、所定時間経過後まで、前記かご内の前記非接触操作検出部によって検出された前記非接触操作を受け付けない期間を変更する、
ことを特徴とするエレベータ。
【請求項８】
少なくとも１つの前記非接触操作検出部が搭載された複数のかご内操作盤を備え、
前記期間設定部は、前記複数のかご内操作盤のうち、少なくとも１つのかご内操作盤が有する前記非接触操作検出部によって検出された前記非接触操作を受け付けない期間を設定する、
ことを特徴とする請求項１〜７のいずれか１項に記載のエレベータ。
【請求項９】
前記少なくとも１つのかご内操作盤が、車椅子用かご内操作盤である、
ことを特徴とする請求項８に記載のエレベータ。
【請求項１０】
前記かごの積載重量、および前記かご内の画像のうち少なくともいずれか一方であるかご情報を取得するかご情報取得部を備え、
前記期間設定部は、前記かご情報に応じて、前記非接触操作を受付けない期間を設定することを特徴とする請求項１〜９のいずれか１項に記載のエレベータ。
【請求項１１】
前記かご情報に基づいて前記かご内の状況を判定する、かご内状況判定部をさらに備え、
前記かご内状況判定部は、前記かご情報に基づいて、前記かご内の混雑度、および前記かご内の利用者が前記かご内操作盤を操作しているか否かを示す利用者の状態のうち少なくともいずれか一方を判定する、
ことを特徴とする請求項１０に記載のエレベータ。
【請求項１２】
前記非接触操作検出部が、前記非接触操作を受付け可能であるか否かを示す情報を利用者に通知するための通知部をさらに備える、
ことを特徴とする請求項１〜１１のいずれか１項に記載のエレベータ。
【請求項１３】
前記通知部は、スピーカ、ディスプレイおよび照明のうち少なくともいずれかである、ことを特徴とする請求項１２に記載のエレベータ。
【請求項１４】
かごの行先階を登録するための非接触操作を検出可能な非接触操作検出部と、
前記非接触操作を受付けない期間を設定する期間設定部と、を備える操作盤であって、
前記操作盤は車椅子用かご内操作盤であり、
前記期間設定部は、
乗場に設置された乗場操作盤のうち、車椅子用の乗場操作盤における乗場呼び操作を受け付けたか否かに応じて、該乗場呼び操作に対応する階床に到着したかごの前記車椅子用の操作盤において、前記非接触操作検出部によって検出された前記非接触操作を受け付けない期間を変更する、
ことを特徴とする操作盤。
【請求項１５】
かごの行先階を登録するための非接触操作を検出可能な非接触操作検出部と、
前記非接触操作を受付けない期間を設定する期間設定部と、を備え、
前記期間設定部は、前記かごが走行中の期間、または前記かごの扉が閉状態である期間を、前記非接触操作を受付けない期間として設定する、
ことを特徴とする操作盤。
【請求項１６】
かごの行先階を登録するための非接触操作を検出可能な非接触操作検出部と、
前記非接触操作を受付けない期間を設定する期間設定部と、を備え、
前記期間設定部は、前記非接触操作検出部が前記かごの扉が閉状態のときに前記非接触操作を検出しており、かつ、前記扉が閉状態から開状態になっても前記非接触操作の検出状態が継続している場合、前記非接触操作検出部によって検出された前記非接触操作を受付けない期間を変更する、
ことを特徴とする操作盤。
【請求項１７】
かごの行先階を登録するための非接触操作を検出可能な非接触操作検出部と、
前記非接触操作を受付けない期間を設定する期間設定部と、を備え、
前記期間設定部は、前記非接触操作検出部が前記かごが走行中に前記非接触操作を検出しており、かつ、前記かごの停止時においても前記非接触操作の検出状態が継続している場合、前記非接触操作検出部によって該非接触操作を受け付けない期間を変更する、
ことを特徴とする操作盤。
【請求項１８】
かごの行先階を登録するための非接触操作を検出可能な非接触操作検出部と、
前記非接触操作を受付けない期間を設定する期間設定部と、を備える操作盤であって、
前記操作盤はかご内操作盤であり、
前記期間設定部は、
乗場に設置された乗場操作盤の乗場非接触操作検出部における呼び操作を受け付けたか否かに応じて、該乗場呼び操作に対応する階床に到着したかごの前記かご内操作盤において、前記非接触操作検出部によって検出された前記非接触操作を受付けない期間を変更する、
ことを特徴とする操作盤。
【請求項１９】
かごの行先階を登録するための非接触操作を検出可能な非接触操作検出部と、
前記非接触操作を受付けない期間を設定する期間設定部と、
前記かごの行先階を登録するための接触操作を検出可能な接触操作検出部と、を備え、
前記期間設定部は、
前記かごが走行中であり、かつ、前記接触操作検出部によって前記接触操作が検出された場合、前記非接触操作検出部によって検出された前記非接触操作を受け付けない期間を変更する、
ことを特徴とする操作盤。
【請求項２０】
かごの行先階を登録するための非接触操作を検出可能な非接触操作検出部と、
前記非接触操作を受付けない期間を設定する期間設定部と、を備え、
前記期間設定部は、
前記かごの扉が閉状態となった時点から、所定時間経過後まで、前記かご内の前記非接触操作検出部によって検出された前記非接触操作を受け付けない期間を変更する、
ことを特徴とする操作盤。
【請求項２１】
車椅子用かご内操作盤におけるかごの行先階を登録するための非接触操作を検出する検出ステップと、
前記非接触操作を受付けない期間を設定する期間設定ステップと、を含み、
前記期間設定ステップにおいて、
乗場に設置された乗場操作盤のうち、車椅子用の乗場操作盤における乗場呼び操作を受け付けたか否かに応じて、該乗場呼び操作に対応する階床に到着したかごの前記車椅子用の操作盤における検出ステップにおいて検出された前記非接触操作を受け付けない期間を変更する、
ことを特徴とするエレベータの制御方法。
【請求項２２】
かごの行先階を登録するための非接触操作を検出する検出ステップと、
前記非接触操作を受付けない期間を設定する期間設定ステップと、を含み、
前記期間設定ステップにおいて、前記かごが走行中の期間、または前記かごの扉が閉状態である期間を、前記非接触操作を受付けない期間として設定する、
ことを特徴とするエレベータの制御方法。
【請求項２３】
かごの行先階を登録するための非接触操作を検出する検出ステップと、
前記非接触操作を受付けない期間を設定する期間設定ステップと、を含み、
前記期間設定ステップにおいて、
前記検出ステップにおいて前記かごの扉が閉状態のときに前記非接触操作を検出しており、かつ、前記扉が閉状態から開状態になっても前記非接触操作の検出状態が継続している場合、前記検出ステップにおいて検出された前記非接触操作を受付けない期間を変更する、
ことを特徴とするエレベータの制御方法。
【請求項２４】
かごの行先階を登録するための非接触操作を検出する検出ステップと、
前記非接触操作を受付けない期間を設定する期間設定ステップと、を含み、
前記期間設定ステップにおいて、
前記検出ステップにおいて前記かごが走行中に前記非接触操作を検出しており、かつ、前記かごの停止時においても前記非接触操作の検出状態が継続している場合、前記検出ステップにおいて検出された該非接触操作を受け付けない期間を変更する、
ことを特徴とするエレベータの制御方法。
【請求項２５】
かごの行先階を登録するための非接触操作を検出する検出ステップと、
前記非接触操作を受付けない期間を設定する期間設定ステップと、を含み、
前記期間設定ステップにおいて、
乗場に設置された乗場操作盤の乗場非接触操作検出部における呼び操作を受け付けたか否かに応じて、該乗場呼び操作に対応する階床に到着したかごのかご内操作盤において、前記検出ステップにおいて検出された前記非接触操作を受付けない期間を変更する、
ことを特徴とするエレベータの制御方法。
【請求項２６】
かごの行先階を登録するための非接触操作を検出する検出ステップと、
前記非接触操作を受付けない期間を設定する期間設定ステップと、
前記かごの行先階を登録するための接触操作を検出可能な接触操作検出ステップと、を含み、
前記期間設定ステップにおいて、
前記かごが走行中であり、かつ、前記接触操作検出ステップにおいて前記接触操作が検出された場合、前記検出ステップにおいて検出された前記非接触操作を受け付けない期間を変更する、
ことを特徴とするエレベータの制御方法。
【請求項２７】
かごの行先階を登録するための非接触操作を検出する検出ステップと、
前記非接触操作を受付けない期間を設定する期間設定ステップと、を含み、
前記期間設定ステップにおいて、
前記かごの扉が閉状態となった時点から、所定時間経過後まで、前記検出ステップにおいて検出された前記非接触操作を受け付けない期間を変更する、
ことを特徴とするエレベータの制御方法。
【発明の詳細な説明】
【技術分野】
【０００１】
本発明は、非接触での操作によってかごの行先階を登録可能なエレベータ、操作盤、およびエレベータの制御方法に関する。
【背景技術】
【０００２】
非接触での操作は、従来のボタン操作に比べて衛生的であることから、近年、エレベータのかごの行先階を非接触での操作によって登録できる技術への関心が高まっている。非接触での操作によってかごの行先階を登録する場合、利用者は、例えば、操作盤に設けられたセンサに手を近づける操作を行えばよく、ボタンに触れたり押下したりする必要が無い。
【０００３】
非接触での操作は従来のボタン操作と比較して、誤操作および誤登録が生じる可能性が高いため、利用者の意図とは異なる行先階を誤登録することを防ぐための対策を講じることが望ましい。
【０００４】
特許文献１には、非接触での操作を検出可能な操作ボタンが開示されている。複数の操作ボタン（行先階ボタン）が同時に操作検出状態になった場合には、操作信号が出力されない構成が開示されている。
【先行技術文献】
【特許文献】
【０００５】
【特許文献１】特開平２０１５−１５１２５３号公報
【発明の概要】
【発明が解決しようとする課題】
【０００６】
しかし、例えば、乗客が操作ボタン付近に凭れた場合、必ずしも複数の操作ボタンが同時に操作検出状態になるとは限らない。複数の操作ボタンが同時に操作検出状態になっていない場合には、操作信号が出力されて誤検出となる。
【０００７】
本発明は、前記の問題点に鑑みてなされたものであり、その目的は、かご内での非接触操作による誤検出を低減するエレベータ、操作盤、およびエレベータの制御方法等を実現することにある。
【課題を解決するための手段】
【０００８】
上記の課題を解決するために、本発明の一態様に係るエレベータは、かごの行先階を登録するための非接触操作を検出可能な非接触操作検出部を有するかご内操作盤と、前記非接触操作を受付けない期間を設定する期間設定部と、を備える。
【０００９】
また、本発明の一態様に係る操作盤は、かごの行先階を登録するための非接触操作を検出可能な非接触操作検出部と、前記非接触操作を受付けない期間を設定する期間設定部と、を備える。
【００１０】
また、本発明の一態様に係るエレベータの制御方法は、かごの行先階を登録するための非接触操作を検出する検出ステップと、前記非接触操作を受付けない期間を設定する期間設定ステップと、を含む。
【００１１】
本発明の各態様に係るエレベータの制御方法は、コンピュータによって実行されてもよく、この場合には、コンピュータに前記エレベータの制御方法に含まれる各ステップを実行させる制御プログラム、およびそれを記録したコンピュータ読み取り可能な記録媒体も、本発明の範疇に入る。
【発明の効果】
【００１２】
本発明の一態様によれば、かご内での非接触操作による誤検出を低減することができるという効果を奏する。
【図面の簡単な説明】
【００１３】
【図１】本発明の実施形態１に係るエレベータの要部構成の一例を示すブロック図である。
【図２】図１に示すエレベータの構成の一例を示す機能ブロック図である。
【図３】かご内操作盤の一例を示す図である。
【図４】エレベータが行う処置の流れの一例を示すフローチャートである。
【図５】本発明の実施形態２に係るエレベータシステムの要部構成の一例を示すブロック図である。
【図６】図５に示すエレベータの構成の一例を示す機能ブロック図である。
【図７】利用者による非接触操作の一例を示す図である。
【図８】エレベータが行う処理の流れの一例を示すフローチャートである。
【図９】乗場操作盤の外観の一例を示す図である。
【図１０】かご内の一例を示す図である。
【図１１】エレベータが行う処理の流れの一例を示すフローチャートである。
【図１２】本発明の実施形態３に係るエレベータの構成の一例を示すブロック図である。
【図１３】図１２に示すエレベータの構成の一例を示す機能ブロック図である。
【発明を実施するための形態】
【００１４】
〔実施形態１〕
以下、本発明の一実施形態について、詳細に説明する。
【００１５】
（エレベータ１００の構成）
図１は、本実施形態に係るエレベータ１００の要部構成の一例を示すブロック図である。図２は、本実施形態に係るエレベータ１００の構成の一例を示す機能ブロック図である。
【００１６】
図１に示すように、エレベータ１００は、制御装置１、およびかご２を備えている。
【００１７】
＜制御装置１の構成＞
制御装置１は、エレベータ１００の運転制御全般を統括して行うコンピュータであり、ＣＰＵ１１およびメモリ１２を備えている。
【００１８】
ＣＰＵ１１は、メモリ１２からエレベータの運転を制御するための各種制御プログラム等を読み出して実行する。これにより、制御装置１は、エレベータ１００の円滑な運転を実現する。制御装置１の機能については、後に説明する。
【００１９】
メモリ１２には、例えば、かご２の移動制御、およびかご２の扉（不図示）の開閉制御等を行うための各種制御プログラムが格納されている。かご２の移動制御には、例えば、乗場呼びが行われた階床にかご２を移動させる制御、行先階として登録された階床にかご２を移動させる制御等が含まれていてもよい。
【００２０】
＜かご２の構成＞
かご２は、建物に設けられた昇降路内を通り、該建物の複数の階床間を移動する乗りかごである。かご２は、かご内操作盤２０、およびかご情報取得部２４を備える。かご内操作盤２０は、非接触操作検出部２２、および通知部２１を備える。
【００２１】
かご２内には、利用者の行先階の登録を受付けるためのかご内操作盤２０が設置されている。図１においては、かご内操作盤が１つである形態を示すが、かご内操作盤の個数は限定されず、２つ以上であってもよい。また、複数のかご内操作盤のうち、少なくとも１つが車椅子用操作盤であってもよい。
【００２２】
かご内操作盤２０は、少なくとも１つの非接触操作検出部２２を備えている。かご内操作盤２０は、２つ以上の非接触操作検出部２２を備えていてもよい。すなわち、かご内操作盤２０は、エレベータが設置される建物の階床の数に応じた行先階の登録を受付けるための非接触操作検出部２２を備えていてもよい。また、かご内操作盤２０は、建物の階床を表す文字または数字を利用者に視認させるための階表示部（不図示）を備えていてもよい。一例において、１つの非接触操作検出部２２に対して１つの階表示部が対応付けられていてもよい。かご内操作盤２０は、かご２のドア近傍の袖壁またはかご２の側壁等に設置され得る。
【００２３】
非接触操作検出部２２は、かご２の行先階を登録するための非接触での操作を検出可能なセンサである。一例において、非接触操作検出部２２は、例えば、投光器および受光器が一体になった反射型光電センサである。非接触操作検出部２２において、投光器が赤外線などの光を照射し、受光器が該光を照射された物体からの反射光を受光する。非接触操作検出部２２は、受光器が受光した受光量に基づいて、近接している物体の有無を検出する。ここで、物体とは、例えば、行先階を登録するための操作を行う利用者の手等であってもよい。
【００２４】
非接触操作検出部２２は、反射型光電センサの受光器側の受光量を調節することにより、非接触操作検出部２２の検出距離を調節することができる。非接触操作検出部２２は、一例として、かご内操作盤２０から５ｃｍ以内に接近している利用者の手等を検出するように設定されている。非接触操作検出部２２が利用者の手等を検出した場合、非接触操作検出部２２は制御装置１に操作を検出した旨の検出信号を送信する。
【００２５】
なお、非接触操作検出部２２は、操作を検出している期間、検出信号の送信を継続する構成であってもよい。この場合、非接触操作検出部２２は、一定の時間間隔で（例えば、１秒間に１０回）検出信号を送信してもよい。この構成を採用すれば、制御装置１は、非接触操作検出部２２からの検出信号に基づいて、操作が検出されたタイミングと検出されなくなったタイミングとを、非接触操作検出部２２毎に特定することができる。
【００２６】
かご情報取得部２４は、かご２の積載重量、およびかご２内の画像のうち少なくともいずれか一方である、かご情報を取得する。かご情報取得部２４は、一例として、ロードセル、カメラ等であってもよい。かご２は、かご情報取得部２４を複数備えていてもよい。また、１つのかご情報取得部２４が異なる種類のかご情報を複数取得してもよい。
【００２７】
かご２の積載重量は、例えば、かご情報取得部２４であるロードセルによって、数値として取得されてもよい。かご２内の画像は、例えば、かご情報取得部２４であるカメラによって取得されてもよい。かご２内の画像とは、静止画像または動画像であればよい。かご情報取得部２４が取得したかご情報は、後述するかご内状況判定部１１５に出力される。
【００２８】
通知部２１は、非接触操作検出部２２が、非接触操作を受付け可能であるか否かを示す情報を利用者に通知する。通知部２１は、例えば、音声案内を発するスピーカであってもよく、ディスプレイ等の表示装置であってもよく、ＬＥＤ等の照明であってもよい。このような構成により、利用者に、非接触操作検出部２２の非接触操作によって行先階を登録できるか否かを通知することができる。
【００２９】
図３は、通知部２１の一例を示した概略図である。図３では、通知部２１は、かご内操作盤２０の上部に配置されるディスプレイである。例えば、該かご内操作盤２０内の非接触操作検出部２２が非接触操作を受付け可能である場合は、通知部２１に非接触操作を受付け可能であるマークが表示される。また、通知部２１がディスプレイである場合は、例えば、ディスプレイに「現在、非接触センサは使用可能です」などの文字の表示をさせてもよい。
【００３０】
また、通知部２１がスピーカである場合は、利用者がエレベータに搭乗した際に、「現在、非接触センサが使用できます」または「現在、非接触センサは使用できません」などの音声案内を行ってもよい。利用者がエレベータに搭乗したか否かは、例えば、上述したかご情報取得部２４から取得した情報によって判断されてもよい。
【００３１】
また、通知部２１が照明である場合は、照明のＯＮ／ＯＦＦによって、または照明の色を変化させることによって、非接触操作を受付け可能であるか否かを示す情報を利用者に通知してもよい。
【００３２】
通知部２１はかご内操作盤２０に１つ備えられてもよく、種類の異なる通知部２１を複数備えていてもよい。
【００３３】
(制御装置１の機能）
次に、制御装置１の機能について、図２を用いて説明する。図２は、図１に示すエレベータ１００の構成の一例を示す機能ブロック図である。なお、説明の便宜上、図１にて説明した部材と同じ機能を有する部材については、同じ符号を付記し、その説明を繰り返さない。
【００３４】
制御装置１は、制御部１１０および記憶部１２０を備えている。制御部１１０は、図１のＣＰＵ１１に対応しており、記憶部１２０は、図１のメモリ１２に対応している。
【００３５】
記憶部１２０には、期間設定情報１２１および行先階登録情報１２２が格納されている。期間設定情報１２１は、後述する期間設定部１１３が期間を設定するためのルールに関する情報である。期間を設定するためのルールとは、例えば、エレベータの運転状況に基づき、どの場合に期間を設定するかを決定するための規定である。行先階登録情報１２２は、後述する行先階登録部１１６が登録した行先階を示す情報である。
【００３６】
制御部１１０は、検出信号取得部１１１、運転制御部１１２、期間設定部１１３、通知制御部１１４、かご内状況判定部１１５、および行先階登録部１１６を備えている。
【００３７】
検出信号取得部１１１は、非接触操作検出部２２からの検出信号を取得する。また、検出信号取得部１１１は、検出信号の送信元である非接触操作検出部２２に対応する階床を、検出信号毎に特定する。
【００３８】
運転制御部１１２は、エレベータの運転を制御する。運転制御部１１２は、例えば、乗場呼びが行われた階床にかご２を移動させる制御、行先階として登録された階床にかご２を移動させる制御、かごの扉の開閉制御等を行う。
【００３９】
期間設定部１１３は、かご内操作盤の非接触操作検出部２２による非接触操作を受付けない期間を設定する。通常、非接触操作検出部２２が非接触操作を検出した場合、検出信号取得部１１１によって特定された階床が呼び登録として登録される。期間設定部１１３が非接触操作を受付けない期間を設定することにより、該期間は、非接触操作検出部２２が非接触操作を検出し、検出信号取得部１１１が信号を取得しても、行先階を登録するための行先階登録部１１６には信号が出力されない。すなわち、期間設定部１１３が設定した非接触操作を受付けない期間は、利用者が非接触操作によって行先階を登録することができない。このような構成により、かご２内での非接触操作による誤検出を低減することができる。
【００４０】
期間設定部１１３は、かご２内に複数あるかご内操作盤のうち、少なくとも１つのかご内操作盤が搭載する非接触操作検出部２２によって検出された非接触操作を受付けない期間を設定してもよい。例えば、かご２内に複数あるかご内操作盤のうち、誤操作がされやすい位置に設置された操作盤から検出された非接触操作のみを受付けない期間を設定してもよい。このような構成により、かご２内での非接触操作による誤検出を低減することができる。
【００４１】
また、期間設定部１１３は、かご２内に複数あるかご内操作盤のうち、車椅子用の操作盤の非接触操作検出部２２によって検出された非接触操作を受付けない期間を設定してもよい。図７はかご内操作盤が複数設置された様子を示す図である。図７において、かご内操作盤２０ｂは、かご２内の袖壁に設置された一般用かご内操作盤であり、非接触操作検出部２２ｂを備える。かご内操作盤２０ｃは、かご２内の側壁に設置された車椅子用かご内操作盤であり、非接触操作検出部２２ｃを備える。車椅子用かご内操作盤２０ｃは、かご２の側壁に設置されているため、また、一般用かご内操作盤２０ｂよりも低い位置に設置されているため、利用者が意図せずに非接触操作してしまう可能性が高い。そのため、期間設定部１１３が、車椅子用かご内操作盤２０ｃの非接触操作検出部２２ｃによって検出された非接触操作を受付けない期間を設定する構成とすることにより、車椅子用かご内操作盤２０ｃによる誤操作を防ぐことができる。
【００４２】
期間設定部１１３が、非接触操作検出部２２によって検出された非接触操作を受付けない期間を設定する場合については、後に詳細に説明する。
【００４３】
なお、期間設定部１１３が設定した非接触操作を受け付けない期間は、操作盤毎に設定されてもよく、一の操作盤に含まれる複数の非接触操作検出部２２の全てが、当該操作盤において設定された期間、非接触操作を受付けないこととしてもよい。また、期間設定部１１３が設定した非接触操作を受付けない期間においては、登録された所定の行先階に向けて運転している、かご２の進行方向の先の階に対応する非接触操作も受付けられない。また、期間設定部１１３が設定した非接触操作を受付けない期間であっても、ボタンの押下などの接触操作によれば、かご２の進行方向とは逆の階に対応する行先階が登録されてもよい。
【００４４】
図２に戻り、通知制御部１１４は、非接触操作検出部２２が、非接触操作を受付け可能であるか否かを示す情報を通知するよう通知部２１を制御する。例えば、期間設定部１１３がかご内操作盤２０の非接触操作検出部２２によって検出された非接触操作を受付けない期間を設定した場合、通知制御部１１４は、非接触操作検出部２２が非接触操作を受付けできないことを通知部２１に通知させる。
【００４５】
かご内状況判定部１１５は、かご２内の状況を判定する。かご内状況判定部１１５は、かご情報に基づいて、かご２内の混雑度、およびかご２内の利用者が前記操作盤を操作しているか否かを示す利用者の状態のうち少なくともいずれか一方を判定する。例えば、かご内状況判定部１１５は、かご２の定員に対応する荷重（かご２の最大積載重量）に対する、かご情報取得部２４より取得された現在の荷重（現時点のかご２の積載重量）が占める割合を「混雑度」として判定してもよい。また、かご内状況判定部１１５は、かご２の最大積載重量に対する現時点のかご２の積載重量が占める割合が、所定の閾値よりも高いか否かを「混雑度」として判定してもよい。所定の閾値は、特に限定されないが、例えば、６０％以上、７０％以上、８０％以上のように予め決定されていてもよい。かご内状況判定部１１５は、かご情報取得部２４より取得した画像より、かご内のスペースに対して利用者が占める割合を「混雑度」として判定してもよい。
【００４６】
かご内状況判定部１１５は、かご情報取得部２４より取得された画像より、かご内の利用者が前記操作盤を操作しているか否かを示す利用者の状態を判定してもよい。例えば、かご内状況判定部１１５は、非接触操作検出部２２に近接する利用者の指先の方向と、利用者の顔が向いている方向とが、または利用者の視線の方向とが同じであるか否かによって、利用者がかご内操作盤を操作しているか否かを判定してもよい。かご内状況判定部１１５は、利用者の立ち位置を検出し、利用者がかご内操作盤を操作しようとしているか否かを判定してもよい。この場合、例えば、かご内状況判定部１１５は、かご情報取得部２４より取得された画像に基づいて、利用者と、かご内操作盤との距離を計測し、該距離に基づいて、利用者がかご内操作盤を操作しているか否かを判定してもよい。
【００４７】
行先階登録部１１６は、利用者がかご呼び操作を行った階床を登録する。かご呼び操作とは、かご内で利用者が行先階を選択する操作のことである。期間設定部１１３が、非接触操作検出部２２によって検出された前記非接触操作を受付けない期間を設定している間は、行先階登録部１１６には、検出信号取得部１１１からの信号は出力されない。行先階登録部１１６は、決定した行先階を記憶部１２０の行先階登録情報１２２に登録してもよい。行先階登録部１１６は、非接触操作を受付けた直後に行先階を登録してもよく、また、非接触操作を所定時間（例えば、０．３秒）継続して受付けた後に登録してもよい。
【００４８】
（期間設定部１１３の期間設定）
期間設定部１１３は、以下の（１）および（２）の場合に、非接触操作検出部２２によって検出された非接触操作を受付けない期間を設定する。以下の（１）および（２）の場合に期間設定部１１３が行う処理については、予め記憶部１２０の期間設定情報１２１に格納されていてもよい。
【００４９】
また、期間設定部１１３が行う（１）および（２）の処理は、常時適用されるよう設定されてもよいし、時期、日、時間帯等に応じて自動的に適用されるよう設定されてもよい。エレベータの管理業者等が、時期、日、時間帯等に応じて手動で設定してもよい。建物内に複数のエレベータのかごがある場合は、かご毎に適用されてもよい。
【００５０】
（１）かごが走行中またはかごの扉が閉状態の場合
期間設定部１１３は、かごが走行中またはかごの扉が閉状態の場合は、非接触操作検出部２２によって検出された非接触操作を受付けない期間を設定してもよい。かごが走行中またはかごの扉が閉状態であるか否かを示すかご２の運転情報は、運転制御部１１２より取得してもよい。また、かご情報取得部２４がカメラである場合には、かごの扉が閉状態であるか否かを示すかご２の運転情報は、かご情報取得部２４から取得した画像に基づき、かご内状況判定部１１５が判定する構成であってもよい。
【００５１】
期間設定部１１３は、例えば、一定の時間間隔で（例えば、１秒間に１０回）、運転制御部１１２から、かご２の運転情報を取得してもよい。そして、期間設定部１１３は、かご２が走行中である、またはかご２の扉が閉状態である、という情報を取得した時点で、非接触操作を受付けない期間を設定することを決定してもよい。期間設定部１１３は、かご情報取得部２４から取得された画像に基づいて判定された、かご２の扉が閉状態である、という情報を取得した時点で、非接触操作を受付けない期間を設定することを決定してもよい。また、期間の設定を決定したと同時に、期間を開始してもよい。
【００５２】
期間設定部１１３は、かごが走行中の期間、またはかごの扉が閉状態の期間を、該非接触操作を受付けない期間として設定してもよい。一般に、エレベータの行先階が登録されるのは、利用者が乗り降りする、かご停止中の期間、またはかごの扉が開状態の期間である場合が多く、かごが走行中の期間、またはかごの扉が閉状態の期間は、エレベータの行先階が登録される可能性が比較的低い。そのため、かごが走行中の期間、またはかごの扉が閉状態の期間が、非接触操作を受付けない期間として設定されることにより、かごが走行中の期間、または扉が閉状態の期間の誤操作による誤検出を防ぐことができる。
【００５３】
期間設定部１１３は、例えば、一定の時間間隔で（例えば、１秒間に１０回）、運転制御部１１２から、かご２の運転に関する情報を取得してもよい。そして、期間設定部１１３は、かご２が停止している、またはかごの扉が開状態である、という情報を取得した時点で、設定した期間の終了を決定してもよい。期間設定部１１３は、かご情報取得部２４から取得された画像に基づいて判定された、かご２の扉が閉状態である、という情報を取得した時点で、非接触操作を受付けない期間を設定することを決定してもよい。また、期間の終了を決定したと同時に、期間を終了してもよい。
【００５４】
（２）かご情報取得部２４が取得したかご情報に応じて
期間設定部１１３は、かご情報取得部２４が取得した、かご２の積載重量、およびかご２内の画像のうち少なくともいずれか一方であるかご情報に応じて、非接触操作を受付けない期間を設定してもよい。
【００５５】
このような構成により、かご２の走行停止状態または扉の開閉状態だけでなく、かご情報に応じて、柔軟に非接触操作による誤検出を防ぐことができる。
【００５６】
かご情報取得部２４が取得したかご情報は、かご内状況判定部１１５によって判定されてもよい。期間設定部１１３は、例えば、一定の時間間隔で（例えば、１秒間に１０回）、かご内状況判定部１１５から判定結果を取得し、後述の（２−１）または（２−２）であると判定した結果を取得した時点で、非接触操作を受付けない期間を設定することを決定してもよい。また、期間の設定を決定したと同時に、期間を開始してもよい。以下に、かご内状況判定部１１５が判定する場合について説明する。
【００５７】
（２−１）かご内状況判定部１１５が、かご内が混雑していると判定した場合
かご内状況判定部１１５は、かご情報に基づいて、かご２内の混雑度を判定する。期間設定部１１３は、かご内状況判定部１１５が、かご２内が混雑していると判定した場合、非接触操作検出部２２によって検出された非接触操作を受付けない期間を設定してもよい。かご内状況判定部１１５がかご２内の混雑度を判定するタイミングは特に限定されないが、例えば、かご内状況判定部１１５は、かご２が走行を開始する時点毎、またはかご２の扉が閉状態になった時点毎に混雑度を判定してもよい。
【００５８】
かご内が混雑している場合は、利用者の体および荷物等によって、意図しない非接触操作が起こりやすい。そのため、かご２内が混雑していると判定された場合に非接触操作を受付けない期間が設定されることにより、利用者が意図しない非接触操作である誤操作による誤検出を防ぐことができる。
【００５９】
非接触操作を受付けない期間の長さは特に限定されないが、例えば、かご内状況判定部１１５が、かご２内が混雑していると判定した時点から、かご２内が混雑していないと判定される時点までであればよい。期間設定部１１３は、例えば、一定の時間間隔で（例えば、１秒間に１０回）かご内状況判定部１１５から判定結果を取得し、かご２内が混雑していないという判定結果を取得した時点を、非接触操作を受付けない期間の終了を決定してもよい。また、かご２内の混雑度が変化するのは、利用者の乗降が発生する場合、すなわち、かご２が停止した場合、またはかご２の扉が開状態である場合である。そのため、期間設定部１１３は、かご２が行先階への移動を開始する時点毎、またはかご２の扉が閉状態になった時点毎に混雑度の判定結果を取得してもよい。また、期間の終了を決定したと同時に、期間を終了してもよい。
【００６０】
また、非接触操作を受付けない期間の長さは、例えば、かご内状況判定部１１５が、かご２内が混雑していると判定した時点から、予め決定された第１の所定時間が経過するまでであってもよい。予め決定された第１の所定時間とは、例えば、数秒から数分の時間であってもよい。
【００６１】
（２−２）かご内状況判定部１１５が、利用者がかご内操作盤を操作していないと判定した場合
かご内状況判定部１１５は、かご情報に基づいて、かご２内の利用者がかご内操作盤２０を操作しているか否かを示す利用者の状態を判定する。期間設定部１１３は、かご内状況判定部１１５が、利用者がかご内操作盤２０を操作していないと判定した場合、非接触操作検出部２２によって検出された非接触操作を受付けない期間を設定してもよい。
【００６２】
利用者の体および荷物等によって、利用者自身も意図していない非接触操作が検出されることが多々ある。そのため、利用者が意識的にかご内操作盤２０を操作していないと判定された場合に、非接触操作を受付けない期間が設定されることにより、利用者が意図しない非接触操作である誤操作による誤検出を防ぐことができる。
【００６３】
非接触操作を受付けない期間の長さは特に限定されないが、例えば、かご内状況判定部１１５が、利用者がかご内操作盤２０を操作していないと判定した時点から、利用者がかご内操作盤２０を操作していると判定された時点までであればよい。期間設定部１１３は、例えば、一定の時間間隔で（例えば、１秒間に１０回）かご内状況判定部１１５から判定結果を取得し、利用者がかご内操作盤２０を操作していないという判定結果を取得した時点を、非接触操作を受付けない期間の終了を決定してもよい。また、期間の終了を決定したと同時に、期間を終了してもよい。
【００６４】
また、非接触操作を受付けない期間の長さは、例えば、かご内状況判定部１１５が、利用者がかご内操作盤２０を操作していると判定した時点から、予め決定された第２の所定時間が経過するまでであってもよい。予め決定された第２の所定時間とは、例えば、数秒から数分の時間であってもよい。
【００６５】
〔エレベータ１００が行う処理〕
以下では、本実施形態に係るエレベータ１００が行う上述の（１）の場合における処理について、図４を用いて説明する。図４は、エレベータ１００が実行する処理の流れの一例を示すフローチャートである。
【００６６】
まず、制御部１１０（期間設定部１１３）は、かご２の扉が閉状態であるか、またはかご２が走行中であるか否かの情報を運転制御部１１２から取得する（ステップＳ１）。扉が開状態、またはかご２が停止中である場合（ステップＳ１のＮＯ）は、ステップＳ１を繰り返す。扉が閉状態、またはかご２が走行中である場合（ステップＳ１のＹＥＳ）は、ステップＳ２へ進む。
【００６７】
次に、制御部１１０（期間設定部１１３）は、非接触操作検出部２２の非接触操作を受付けない期間を設定し（ステップＳ２：期間設定ステップ）、ステップＳ３へ進む。
【００６８】
制御部１１０（期間設定部１１３）は、かご２の行先階を登録するための非接触操作が検出されたか否かの情報を検出信号取得部１１１から取得する（ステップＳ３：検出ステップ）。非接触操作が検出されない場合（ステップＳ３のＮＯ）は、ステップＳ３を繰り返す。非接触操作が検出された場合（ステップＳ３のＹＥＳ）は、ステップＳ４へ進む。
【００６９】
制御部１１０は、非接触操作を受付けない期間内であるか否かを判定する。非接触操作を受付けない期間内である場合（ステップＳ４のＹＥＳ）は、ステップＳ３に戻る。非接触操作を受付けない期間内でない場合は、ステップＳ５へ進む。
【００７０】
制御部１１０は、検出信号取得部１１１から取得された非接触操作を受付け（ステップＳ５）、ステップＳ１に戻る。
【００７１】
上記の構成によれば、エレベータ１００は、かご２の扉が閉状態、またはかご２が走行中の場合に非接触操作を受付けない。これにより、エレベータ１００は、かご２の扉が閉状態、またはかご２が走行中の場合のかご２内での非接触操作による誤検出を防ぐことができる。
【００７２】
〔実施形態２〕
実施形態１では、期間設定部１１３が、非接触操作を受付けない期間を設定する形態を記載したが、期間設定部１１３は、非接触操作を受付けない期間を変更してもよい。また、期間設定部１１３は、乗場呼び操作によって、または接触操作によって、非接触操作を受付けない期間を変更してもよい。乗場呼び操作とは、エレベータの乗場において、利用者がかごを呼ぶための操作である。
【００７３】
図５は、本実施形態に係るエレベータシステム１０００の要部構成の一例を示すブロック図である。図６は、本実施形態に係るエレベータシステム１０００の構成の一例を示す機能ブロック図である。
【００７４】
図５に示すように、本実施形態に係るエレベータシステム１０００は、乗場操作盤３０と、エレベータ１００とを備えている。
【００７５】
（乗場操作盤３０）
乗場操作盤３０は、各階床のエレベータの乗場に設置され、乗場非接触操作検出部３２および乗場接触操作検出部３３を備えている。乗場非接触操作検出部３２は、かご２を呼ぶための、非接触での乗場呼び操作を検出可能なセンサである。乗場非接触操作検出部３２が非接触操作を検出する仕組みについては、かご内の非接触操作検出部２２と同様である。
【００７６】
乗場接触操作検出部３３は、かご２を呼ぶための、接触での乗場呼び操作を検出する。乗場接触操作検出部３３は、一例として、ボタンである。利用者によってボタンが押下されることで、乗場接触操作検出部３３は接触操作を検出する。
【００７７】
乗場操作盤３０は、１つに限定されず、複数設けられてもよい。例えば、一般用の乗場操作盤と、車椅子用の乗場操作盤とが設けられていてもよい。
【００７８】
（エレベータ１００の構成）
図５に示すようにエレベータ１００は、制御装置１、およびかご２を備えている。
【００７９】
＜制御装置１の構成＞
制御装置１は、実施形態１で記載した制御装置１と同様に、ＣＰＵ１１およびメモリ１２を備えている。
【００８０】
＜かご２の構成＞
かご２は、かご内操作盤２０、およびかご情報取得部２４を備える。かご内操作盤２０は、非接触操作検出部２２および通知部２１を備える点で、実施形態１のかご内操作盤２０と同じであるが、本実施形態のかご２は、接触操作検出部２３をさらに備える。
【００８１】
接触操作検出部２３は、かご２の行先階を登録するための接触操作を検出する。接触操作検出部２３は、一例として、ボタンである。利用者によってボタンが押下されることで、接触操作検出部２３は接触操作を検出する。
【００８２】
(制御装置１の機能）
次に、制御装置１の機能について、図６を用いて説明する。図６は、図５に示すエレベータ１００の構成の一例を示す機能ブロック図である。なお、説明の便宜上、図５にて説明した部材と同じ機能を有する部材については、同じ符号を付記し、その説明を繰り返さない。
【００８３】
制御装置１は、制御部１１０および記憶部１２０を備えている。制御部１１０は、図５のＣＰＵ１１に対応しており、記憶部１２０は、図５のメモリ１２に対応している。
【００８４】
制御部１１０は、実施形態１の制御部１１０と同様、検出信号取得部１１１、運転制御部１１２、期間設定部１１３、通知制御部１１４、かご内状況判定部１１５、および行先階登録部１１６を備えている。
【００８５】
検出信号取得部１１１は、かご内操作盤２０の非接触操作検出部２２、および接触操作検出部２３、ならびに乗場操作盤３０の乗場非接触操作検出部３２、および乗場接触操作検出部３３からの検出信号を取得する。検出信号取得部１１１は、取得した検出信号のうち、どの検出部による検出信号であるかを特定してもよい。また、図６には図示していないが、一般用の検出部からの信号であるか、または車椅子用の検出部からの信号であるかを特定してもよい。
【００８６】
（期間設定部１１３の期間変更）
期間設定部１１３は、以下の（３）から（８）の場合は、非接触操作検出部２２によって検出された非接触操作を受付けない期間を変更してもよい。非接触操作を受付けない期間を変更するとは、例えば、非接触操作を受付けない期間の長さを短縮する、または延長することである。また、期間の長さの変更に加えて、または期間の長さの変更をせずに、非接触操作を受付けない期間の開始時期を変更してもよい。
【００８７】
以下の（３）から（８）の場合に期間設定部１１３が行う処理については、予め記憶部１２０の期間設定情報１２１に格納されていてもよい。また、期間設定部１１３が行う（３）から（８）の処理は、常時適用されるよう設定されてもよいし、時期、日、時間帯等に応じて自動的に適用されるよう設定されてもよい。エレベータの管理業者等が、時期、日、時間帯等に応じて手動で設定してもよい。建物内に複数のエレベータのかごがある場合は、かご毎に適用されてもよい。
【００８８】
（３）かごの扉が閉状態のときに非接触操作が検出されており、かつ、扉が閉状態から開状態になっても非接触操作の検出状態が継続している場合
期間設定部１１３は、かご２の扉が閉状態のときに非接触操作が検出されており、かつ、扉が閉状態から開状態になっても非接触操作の検出状態継続している場合、非接触操作検出部２２によって検出された非接触操作を受付けない期間を変更してもよい。非接触操作を受付けない期間の変更とは、例えば、非接触操作を受付けない期間を延長することである。
【００８９】
期間設定部１１３は、例えば、一定の時間間隔で（例えば、１秒間に１０回）、検出信号取得部１１１から非接触操作の検出状態の情報、および運転制御部１１２から扉の開閉情報を取得してもよい。そして、期間設定部１１３は、非接触操作の検出、かつ扉が閉状態でないという情報を取得した時点で、期間の長さの変更を決定してもよい。
【００９０】
図７を用いて具体的に説明する。図７は、かご２内の様子を示している。かご２内には、かご内操作盤２０ｂおよびかご内操作盤２０ｃが設置され、それぞれのかご内操作盤は、それぞれ行先階を登録するための非接触操作検出部２２ｂおよび２２ｃを備えている。
【００９１】
かご２の扉が閉状態の間は、期間設定部１１３が、非接触操作検出部２２ｂおよび非接触操作検出部２２ｃによる非接触操作を受付けない期間を設定している。そのため、図７で示すように、かご内操作盤２０ｃの前に利用者が凭れかかり、利用者の体によって非接触操作検出部２２ｃが非接触操作を検出していても、該非接触操作は受付けられることはない。
【００９２】
しかし、かご２の扉が閉状態から開状態になった場合には、期間設定部１１３が設定した非接触操作を受付けない期間が終了するため、非接触操作検出部２２ｃによる非接触操作が受付けられる。かご２の扉が開状態になっても、利用者がかご内操作盤２０ｃに凭れかかったままであり、利用者の体によって非接触操作検出部２２ｃが非接触操作を検出し続けたままである場合、該非接触操作は受付けられてしまう虞がある。そのため、かご２の扉が閉状態のときに非接触操作が検出されており、かつ、かご２の扉が閉状態から開状態になっても非接触操作の検出状態が継続している場合は、期間設定部１１３は、例えば、非接触操作を受付けない期間を延長する。
【００９３】
上記の構成により、かごの扉が閉状態から開状態になった場合に検出され得る、利用者が意図しない非接触操作による誤検出を防ぐことができる。
【００９４】
非接触操作を受付けない対象のかご内操作盤は、かご２の扉が閉状態から開状態になるときに非接触操作を検出し続けているかご内操作盤２０ｃのみでもよく、かご２内の全てのかご内操作盤でもよい。
【００９５】
延長する期間の長さは、例えば、かごの扉が開状態のときに継続している非接触操作が検出されなくなる時点までの期間であってもよい。期間設定部１１３は、例えば、一定の時間間隔で（例えば、１秒間に１０回）、検出信号取得部１１１から非接触操作の検出状態、および運転制御部１１２から扉の開閉情報を取得してもよい。そして、期間設定部１１３は、非接触操作の検出が無く、かつ扉が閉状態でないという情報を取得した時点を、期間の終了時点として決定してもよい。
【００９６】
（４）かごが走行中に非接触操作が検出されており、かつ、かごの停止時においても非接触操作の検出状態が継続している場合
期間設定部１１３は、かごが走行中に非接触操作が検出されており、かつ、かごの停止時においても非接触操作の検出状態が継続している場合、非接触操作検出部２２によって検出された非接触操作を受付けない期間を変更してもよい。
【００９７】
利用者の体および荷物等によって非接触操作が検出されている場合、かごが走行中の期間は、期間設定部１１３が非接触操作検出部２２によって検出された非接触操作を受付けない期間を設定しているため、非接触操作が検出されない。しかし、かごの停止時も、利用者の体および荷物等による非接触操作が継続している場合、非接触操作検出部２２の操作が受付けられるため、誤検出となる虞がある。そのため、かごの走行中からかごの停止時まで非接触操作の検出状態が継続している場合は、非接触操作検出部２２によって検出された非接触操作を受付けない期間を延長してもよい。これにより、利用者が意図しない非接触操作である誤操作による誤検出を防ぐことができる。
【００９８】
延長する期間の長さは、例えば、かごの走行中およびかごの停止時に継続している非接触操作が検出されなくなる時点までの期間であってもよい。
【００９９】
上記の構成により、かごが走行中から停止している間に検出され得る、利用者が意図しない非接触操作による誤検出を防ぐことができる。
【０１００】
非接触操作を受付けない対象のかご内操作盤は、かご２が走行中から停止するときに非接触操作を検出し続けているかご内操作盤２０ｃのみでもよく、かご２内の全てのかご内操作盤でもよい。
【０１０１】
延長する期間の長さは、例えば、かご２が停止時において継続している非接触操作が検出されなくなる時点までの期間であってもよい。期間設定部１１３は、例えば、一定の時間間隔で（例えば、１秒間に１０回）検出信号取得部１１１から非接触操作の検出状態の情報、および運転制御部１１２からかご２の運転情報を取得してもよい。そして、期間設定部１１３は、非接触操作の検出が無く、かつ、かご２が停止しているという情報を取得した時点を、期間の終了時点として決定してもよい。
【０１０２】
〔エレベータ１００が行う処理（（３）および（４）の場合）〕
以下では、本実施形態に係るエレベータ１００が行う、上記の（３）および（４）の場合における処理について、図８を用いて説明する。図８は、エレベータ１００が実行する処理の流れの一例を示すフローチャートである。
【０１０３】
まず、期間設定部１１３は、かご２の扉が閉状態であるか、またはかご２が走行中であるか否かの情報を運転制御部１１２から取得する（ステップＳ１１）。扉が開状態、またはかご２が停止中である場合（ステップＳ１１のＮＯ）は、ステップ１１を繰り返す。かご２の扉が閉状態、またはかご２が走行中である場合（ステップＳ１１のＹＥＳ）は、ステップＳ１２へ進む。
【０１０４】
期間設定部１１３は、非接触操作検出部２２の非接触操作を受付けない期間を設定し（ステップＳ１２：期間設定ステップ）、ステップＳ１３へ進む。
【０１０５】
次に、期間設定部１１３は、かご２の行先階を登録するための非接触操作が検出されたか否かの情報を検出信号取得部１１１から取得する（ステップＳ１３：検出ステップ）。非接触操作が検出されない場合（ステップＳ１３のＮＯ）は、ステップＳ１３を繰り返し、非接触操作が検出された場合（ステップＳ１３のＹＥＳ）は、ステップＳ１４へ進む。
【０１０６】
期間設定部１１３は、かご２の扉が閉状態であるか、またはかご２が走行中であるか否かの情報を運転制御部１１２から取得する（ステップＳ１４）。扉が開状態、またはかご２が停止中である場合（ステップＳ１４のＮＯ）は、ステップＳ１５へ進む。かご２の扉が閉状態、またはかご２が走行中である場合（ステップＳ１４のＹＥＳ）は、ステップＳ１３に戻る。
【０１０７】
続いて、期間設定部１１３は、ステップＳ１３における非接触操作の検出状態が継続しているか否かの情報を検出信号取得部１１１から取得する（ステップＳ１５）。非接触操作の検出状態が継続している場合（ステップＳ１５のＹＥＳ）は、ステップＳ１６へ進み、非接触操作の検出状態が継続していない場合（ステップＳ１５のＮＯ）は、ステップＳ１１に戻る。
【０１０８】
期間設定部１１３は、非接触操作を受付けない期間を変更する（ステップＳ１６）。その後、ステップＳ１５に戻る。
【０１０９】
期間設定部１１３は、本処理において、Ｓ１１に応じて、非接触操作を受付けない期間の開始を設定し、Ｓ１５に応じて、非接触操作を受付けない期間の終了を設定する。
【０１１０】
（５）車椅子用の乗場操作盤における乗場呼び操作がされた場合
期間設定部１１３は、車椅子用の乗場操作盤における乗場呼び操作がされた場合に、乗場呼び操作に対応する階床に到着したかご２の車椅子用操作盤において、非接触操作検出部２２によって検出された非接触操作を受付けない期間を変更してもよい。
【０１１１】
図９は、乗場操作盤３０を示す。乗場操作盤３０は、一般用の乗場操作盤３０ａ、および一般用の乗場操作盤３０ａよりも低い位置に車椅子用の乗場操作盤３０ｂを備え、それぞれの操作盤は乗場接触操作検出部３３ａ、３３ｂ、および乗場非接触操作検出部３２ａ、３２ｂを備えている。
【０１１２】
また、図１０は、かご２を示す。かご２は、かご内操作盤２０ｂおよび２０ｃを備える。かご内操作盤のうち、２０ｃは車椅子用のかご内操作盤である。また、各かご内操作盤は、それぞれ非接触操作検出部２２ｂおよび２２ｃを備える。車椅子用の乗場操作盤３０ｂにおいて乗場呼び操作がされた場合は、車椅子の利用者が乗場呼び操作を行った可能性が高く、該利用者は、かご２内においても車椅子用のかご内操作盤２０ｃを操作する可能性が高い。そのため、期間設定部１１３は、乗場呼び操作が行われた階床に到着したかご２内の車椅子用のかご内操作盤２０ｃの非接触操作を受付けない期間を変更してもよい。この場合、乗場接触操作検出部３３ｂであっても、乗場非接触操作検出部３２ｂであっても、車椅子用の検出部が操作されれば、期間設定部１１３は、かご２内の車椅子用のかご内操作盤２０ｃの非接触操作を受付けない期間を変更してもよい。
【０１１３】
例えば、期間設定部１１３は、非接触操作を受付けない期間の開始時期を変更してもよい。具体的には、期間設定部１１３は、一定の時間間隔で（例えば、１秒間に１０回）、検出信号取得部１１１から乗場呼び操作が行われたことを示す情報を取得してもよい。そして、期間設定部１１３は、車椅子用の乗場操作盤３０ｂにおいて乗場呼び操作がされた旨の情報を取得した時点で、期間の開始時期を変更することを決定してもよい。
【０１１４】
期間設定部１１３は、かご２内で操作された車椅子用操作盤に対応する階床に到着するまでの期間は、非接触操作を受付けない期間を設定せず、前記対応する階床に到着した時点から非接触操作を受付けない期間を設定するよう変更してもよい。具体的には、期間の開始時期は、かご２が車椅子用の乗場操作盤３０ｂによって乗場呼び操作された階床に到着し、かご２が停止した時点から、車椅子用のかご内操作盤によって登録された行先階に到着し、かご２が走行を始める時点までに変更されてもよい。
【０１１５】
上記の構成により、車椅子用の乗場操作盤３０ｂにおける乗場呼び操作がされた場合は、車椅子用のかご内操作盤２０ｃによる非接触操作を受付けることができる。すなわち、かごの扉が閉状態、またはかごが走行中の場合であっても、車椅子の利用者が非接触操作によって行先階を登録することができる。また、車椅子用のかご内操作盤を利用する可能性が低い場合には、乗降時の乗客の動作による誤検出を防ぐことができる。
【０１１６】
（６）乗場操作盤の乗場非接触操作検出部による呼び操作がされた場合
期間設定部１１３は、乗場操作盤の乗場非接触操作検出部３２による呼び操作がされた場合に、非接触操作検出部２２によって検出された非接触操作を受付けない期間を変更してもよい。
【０１１７】
乗場操作盤３０の乗場非接触操作検出部３２において乗場呼び操作がされた場合は、該乗場呼び操作を行った利用者は、かご２内においても非接触操作検出部２２ｂおよび２２ｃを操作する可能性が高い。そのため、乗場呼び操作が行われた階床に到着したかご２内の非接触操作検出部２２ｂおよび２２ｃは非接触操作を受付けない期間を変更してもよい。
【０１１８】
例えば、期間設定部１１３は、非接触操作を受付けない期間の開始時期を変更してもよい。具体的には、期間設定部１１３は、一定の時間間隔で（例えば、１秒間に１０回）、検出信号取得部１１１から乗場呼び操作がされたことを示す情報を取得してもよい。そして、期間設定部１１３は、乗場非接触操作検出部３２において乗場呼び操作がされた旨の情報を取得した時点で、期間の開始時期を変更することを決定してもよい。
【０１１９】
期間設定部１１３は、かご２内で操作された非接触操作検出に対応する階床に到着するまでの期間は、非接触操作を受付けない期間を設定せず、前記対応する階床に到着した時点から非接触操作を受付けない期間を設定するよう変更してもよい。具体的には、期間の開始時期は、かご２が乗場非接触操作検出部３２によって乗場呼び操作された階床に到着し、かご２が停止した時点から、非接触操作検出部２２によって登録された行先階に到着し、かご２が走行を始める時点までに変更されてもよい。
【０１２０】
上記の構成により乗場非接触操作検出部３２によって乗場呼び操作がされた場合は、かご内操作盤２０による非接触操作を受付けることができる。すなわち、かごの扉が閉状態、またはかごが走行中の場合であっても、積極的に非接触操作を行いたいと希望する利用者が、非接触操作によって行先階を登録することができる。
【０１２１】
〔エレベータ１００が行う処理（（５）および（６）の場合）〕
以下では、本実施形態に係るエレベータ１００が行う、上記の（５）および（６）の場合における処理について、図１１を用いて説明する。図１１は、エレベータ１００が実行する処理の流れの一例を示すフローチャートである。
【０１２２】
まず、期間設定部１１３は、かご２の扉が閉状態であるか、またはかご２が走行中であるか否かの情報を運転制御部１１２から取得する（ステップＳ２１）。扉が開状態である場合、またはかご２が停止中である場合（ステップＳ２１のＮＯ）は、ステップＳ２１を繰り返す。扉が閉状態である場合、またはかご２が走行中である場合（ステップＳ２１のＹＥＳ）は、ステップＳ２２へ進む。
【０１２３】
期間設定部１１３は、非接触操作検出部２２の非接触操作を受付けない期間を設定し（ステップＳ２２：期間設定ステップ）、ステップＳ２３へ進む。
【０１２４】
期間設定部１１３は、乗場操作盤３０によって、所定の乗場呼び操作が検出されたことを示す情報を検出信号取得部１１１より取得する（ステップＳ２３）。所定の乗場呼び操作とは、例えば、上記の（５）の場合は、図９における車椅子用の乗場操作盤３０ｂによる乗場呼び操作、または上記の（６）の場合は、図９における乗場非接触操作検出部３２ａおよび３２ｂによる乗場呼び操作のことである。
【０１２５】
所定の乗場呼び操作が検出された場合（ステップＳ２３のＹＥＳ）は、ステップＳ２４に進み、所定の乗場呼び操作が検出されていない場合（ステップＳ２３のＮＯ）は、ステップＳ２３を繰り返す。
【０１２６】
続いて、期間設定部１１３は、所定の乗場呼び操作に対応する階床にかご２が到着したか否かの情報を運転制御部１１２より取得する（ステップＳ２４）。所定の乗場呼び操作に対応する階床とは、ステップＳ２３において乗場呼び操作が検出された階床のことである。例えば、建物の３階に設置された乗場操作盤による乗場呼び操作が検出された場合は、期間設定部１１３は、３階にかご２が到着したか否かの情報を取得する。
【０１２７】
所定の乗場呼び操作に対応する階床にかご２が到着した場合（ステップＳ２４のＹＥＳ）は、ステップＳ２５に進み、かご２が到着していない場合（ステップＳ２４のＮＯ）は、ステップＳ２４を繰り返す。
【０１２８】
続いて、期間設定部１１３は、乗場呼び操作に対応したかご内操作盤による非接触操作を受付けない期間を変更する（ステップＳ２５）。ここで、乗場呼び操作に対応したかご内操作盤による非接触操作とは、例えば、上記の（５）の場合は、図１０におけるかご内操作盤２０ｃに設置された非接触操作検出部２２ｃの非接触操作よるかご呼び操作のことである。また、乗場呼び操作に対応したかご内操作盤による非接触操作とは、例えば、上記の（６）の場合は、図１０におけるかご内操作盤２０ｂ、２０ｃに設置された非接触操作検出部２２ｂ、２２ｃの非接触操作によるかご呼び操作のことである。
【０１２９】
期間設定部１１３は、かご呼び操作に対応する階床にかご２が到着したか否かの情報を運転制御部１１２より取得する（ステップＳ２６）。ここで、かご呼び操作に対応する階床とは、ステップＳ２３におけるかご２内のかご呼び操作によって行先階が登録された階床のことである。例えば、上記の（５）の場合は、図１０における非接触操作検出部２２ｃによる非接触操作で登録された行先階のことであり、上記の（６）の場合は、図１０における非接触操作検出部２２ｂおよび２２ｃによる非接触操作で登録された行先階のことである。
【０１３０】
かご呼び操作に対応する階床にかごが到着した場合（ステップＳ２６のＹＥＳ）は、ステップＳ２１に戻り、かご呼び操作に対応する階床にかごが到着していない場合（ステップＳ２６のＮＯ）は、ステップＳ２６を繰り返す。
【０１３１】
（７）かごが走行中であり、かつ、接触操作検出部２３によって操作が検出された場合
かご２が走行中であっても、かご２内の利用者の何れかが接触操作検出部２３によって行先階を登録した場合、連鎖的にかご２内の別の利用者が行先階を登録する場合がある。
【０１３２】
そのため、期間設定部１１３は、かご２が走行中であり、かつ、接触操作検出部２３によって操作が検出された場合に、非接触操作検出部２２によって検出された非接触操作を受付けない期間を変更してもよい。
【０１３３】
期間設定部１１３は、例えば、接触操作検出部２３によって操作が検出された時点から第３の所定時間は、非接触操作を受付けない期間を設定せず、所定時間経過後から非接触操作を受付けない期間を設定すればよい。第３の所定時間とは、例えば数秒から数分の時間であってもよい。
【０１３４】
また、期間設定部１１３は、例えば、接触操作検出部２３によって操作が検出された時点から、かごの扉が開状態になるまで、またはかご２が停止状態になるまでの期間を、非接触操作を受付けない期間としてもよい。
【０１３５】
上記の構成より、かご２が走行中であっても、接触操作検出部２３によって操作が検出された場合に、非接触操作検出部２２によって検出された非接触操作が受付けられる。これにより、かご２内の利用者が非接触操作によって行先階を登録することができる。
【０１３６】
（８）かごの扉が閉状態となった時点から、所定時間内
かご２の扉が閉状態になっても、第４の所定時間内は、かご２内の利用者が行先階を登録する可能性が高い。
【０１３７】
そのため、期間設定部１１３は、かご２の扉が閉状態となった時点から、第４の所定時間経過後まで、非接触操作検出部２２によって検出された非接触操作を受付けない期間を変更してもよい。
【０１３８】
期間設定部１１３は、例えば、非接触操作を受付けない期間の開始時点を、かご２の扉が閉状態となった時点から第４の所定時間経過時点に変更してもよい。第４の所定時間とは、例えば数秒から数分の時間であってもよい。すなわち、かご２の扉が閉状態となった時点から、第４の所定時間内は、非接触操作検出部２２によって検出された非接触操作は受付けられる。また、第４の所定時間が長すぎると、かご２が次の行先階へ到着した後も非接触操作が受け付けられないため、第４の所定時間は、少なくとも次の行先階にかご２が到着する前に、第４の所定時間が終了することとしてもよい。
【０１３９】
上記の構成により、かご２の扉が閉状態であっても、所定の時間内は、非接触操作検出部２２によって検出された非接触操作が受付けられる。これにより、かご２内の利用者が非接触操作によって行先階を登録することができる。
【０１４０】
〔実施形態３〕
上記の実施形態に係る制御装置１の検出信号取得部１１１、期間設定部１１３、および通知制御部１１４をかご２ａに設置されるかご内操作盤２０ａが備える構成であってもよい。このような構成を備えるエレベータ１００ａについて、以下に説明する。なお、説明の便宜上、上記実施形態にて説明した部材と同じ機能を有する部材については、同じ符号を付記し、その説明を繰り返さない。
【０１４１】
（エレベータ１００ａの構成）
本発明の実施形態３に係るエレベータ１００ａの構成について、図１２および図１３を用いて説明する。図１２は、エレベータ１００ａの構成の一例を示すブロック図であり、図１３は、図１２に示すエレベータ１００ａの構成の一例を示す機能ブロック図である。
【０１４２】
図１２に示すように、エレベータ１００ａは制御装置１ａおよびかご２ａを備えている。
【０１４３】
＜制御装置１ａの構成＞
制御装置１ａは、エレベータ１００ａの運転制御全般を統括して行うコンピュータであり、ＣＰＵ１１ａおよびメモリ１２ａを備えている。
【０１４４】
ＣＰＵ１１ａは、メモリ１２ａから各種制御プログラムを読み出して実行する。一方、メモリ１２ａには、例えば、かご２ａの移動制御、およびかごの扉の開閉制御、乗場呼びが行われた階床にかご２ａを移動させる制御、行先階として登録された階床にかご２ａを移動させる制御等が含まれていてもよい。
【０１４５】
＜制御装置１ａの機能＞
次に、制御装置１ａの機能について、図１３を用いて説明する。
【０１４６】
図１３に示すように、制御装置１ａは、制御部１１０ａおよび記憶部１２０ａを備えている。制御部１１０ａは、図１２のＣＰＵ１１ａに対応しており、記憶部１２０ａは、図１２のメモリ１２ａに対応している。
【０１４７】
制御部１１０ａは、運転制御部１１２および行先階登録部１１６ａを備えている。運転制御部１１２は、エレベータの運転を制御する。運転制御部１１２は、例えば、乗場呼びが行われた階床にかご２を移動させる制御、行先階として登録された階床にかご２を移動させる制御、かご２の扉の開閉制御等を行う。
【０１４８】
行先階登録部１１６ａは、利用者がかご呼び操作を行った階床を登録する。行先階登録部１１６ａは、期間設定部１１３ａが非接触操作を検出しない期間を設定していない期間において、かご呼び操作がされた階床を登録することができる。行先階登録部１１６ａは、かご２の行先階についての情報を記憶部１２０ａの行先階登録情報１２２ａに格納してもよい。
【０１４９】
＜かご２ａの構成＞
かご２ａは、実施形態１のエレベータ１００のかご２と同様、利用者の行先階の登録を受付けるためのかご内操作盤２０ａ、およびかご情報を取得するためのかご情報取得部２４が設置されている。
【０１５０】
＜かご内操作盤２０ａの構成および機能＞
図１２に戻り、かご内操作盤２０ａは、通知部２１、非接触操作検出部２２、ＣＰＵ２６、およびメモリ２７を備えている。
【０１５１】
かご内操作盤２０ａは、図１３に示すように、通知部２１および非接触操作検出部２２に加え、制御部２６０、記憶部２７０およびかご内状況判定部１１５を備えている。制御部２６０は、図１２のＣＰＵ２６に対応しており、記憶部２７０は、図１２のメモリ２７に対応している。記憶部２７０には、期間設定情報１２１が格納されている。
【０１５２】
制御部２６０は、検出信号取得部１１１、期間設定部１１３ａ、および通知制御部１１４を備えている。
【０１５３】
期間設定部１１３ａは、検出信号取得部１１１、運転制御部１１２、およびかご内状況判定部１１５から取得する情報に基づいて、非接触操作検出部２２の非接触操作を受付けない期間を設定する。期間設定部１１３ａは、記憶部２７０の期間設定情報１２１に基づいて、非接触操作検出部２２の非接触操作を受付けない期間を設定してもよい。
【０１５４】
エレベータ１００ａでは、期間設定部１１３ａが行う、非接触操作検出部２２によって検出された非接触操作を受付けない期間を設定する処理を、かご内操作盤２０ａにおいて実行することができる。この構成を採用すれば、かご内操作盤毎に非接触操作を受付けない期間を設定することが可能であり、かご内操作盤２０ａの非接触操作による誤検出を低減することができる。
【０１５５】
〔エレベータ１００ａが行う処理〕
エレベータ１００ａが行う処理は、実施形態１のエレベータ１００が行う処理と同じであるため、説明を省略する。
【０１５６】
〔ソフトウェアによる実現例〕
制御装置１、１ａの制御部１１０、１１０ａおよびかご内操作盤２０ａの制御部２６０は、集積回路（ＩＣチップ）等に形成された論理回路（ハードウェア）によって実現してもよいし、ソフトウェアによって実現してもよい。
【０１５７】
後者の場合、制御装置１、１ａおよびかご内操作盤２０ａは、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１５８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１５９】
２    かご
２０、２０ａ  かご内操作盤
２１  通知部
２２  非接触操作検出部
２３  接触操作検出部
２４  かご情報取得部
３０  乗場操作盤
３２  乗場非接触操作検出部
１００、１００ａ  エレベータ
１１３、１１３ａ  期間設定部
１１５  かご内状況判定部
【要約】
【課題】かご内での非接触操作による誤検出を低減するエレベータ、操作盤、およびエレベータの制御方法等を実現する。
【解決手段】エレベータ（１００）はかご（２）の行先階を登録するための非接触操作を検出可能な非接触操作検出部（２２）を有するかご内操作盤（２０）と、前記非接触操作を受付けない期間を設定する期間設定部（１１３）と、を備える。
【選択図】図２【図１】
0006988984.tif 000002
【図２】
0006988984.tif 000003
【図３】
0006988984.tif 000004
【図４】
0006988984.tif 000005
【図５】
0006988984.tif 000006
【図６】
0006988984.tif 000007
【図７】
0006988984.tif 000008
【図８】
0006988984.tif 000009
【図９】
0006988984.tif 000010
【図１０】
0006988984.tif 000011
【図１１】
0006988984.tif 000012
【図１２】
0006988984.tif 000013
【図１３】
0006988984.tif 000014